(57)【要約】【課題】動画コンテンツの不正な視聴を防止するコンテンツ処理装置、コンテンツ処理システム、方法、プログラムおよび記録媒体を提供すること。【解決手段】本発明によれば、オリジナルのコンテンツデータに阻害画像を付加した動画データと、動画データを補完する補完データとを生成し、これらのデータを統合してコンテンツデータを生成するコンテンツ処理装置が提供される。また、本発明によれば、コンテンツデータを再生する際に、阻害画像を付加した動画データと補完データとを合成し、これらのデータとを合成して得られた動画データを再生するコンテンツ処理装置が提供される。【選択図】図１
2013077947.tif 000002
【特許請求の範囲】
【請求項１】
動画データを含むコンテンツデータを処理するコンテンツ処理装置であって、
オリジナルのコンテンツデータに阻害画像を付加した動画データと、前記動画データを補完する補完データとを生成する生成手段と、
前記動画データおよび前記補完データを統合して、前記動画データおよび前記補完データを含むコンテンツデータを生成する統合手段と
を含む、コンテンツ処理装置。
【請求項２】
動画データを含むコンテンツデータを処理するコンテンツ処理装置であって、
オリジナルのコンテンツデータに阻害画像を付加した動画データと、前記動画データを補完する補完データとを含むコンテンツデータを再生する際に、前記動画データと前記補完データとを合成する合成手段と、
前記動画データと前記補完データとを合成して得られた動画データを再生する再生手段と
を含む、コンテンツ処理装置。
【請求項３】
前記阻害画像の付加される位置が一定である、請求項１または２に記載のコンテンツ処理装置。
【請求項４】
前記阻害画像は、前記オリジナルのコンテンツデータを構成するフレーム毎に任意の位置に付加される、請求項１〜３のいずれか１項に記載のコンテンツ処理装置。
【請求項５】
前記阻害画像を付加した動画データおよび前記補完データは時系列に形成されており、
前記合成手段は、
前記阻害画像を付加した動画データの各フレームと、これに対応する補完データのフレームとを順次合成する、請求項２〜４のいずれか１項に記載のコンテンツ処理装置。
【請求項６】
前記阻害画像を付加した動画データは時系列に形成され、前記補完データは時間的に前後して形成されており、
前記合成手段は、
前記阻害画像を付加した動画データの各フレームと、これに対応する補完データのフレームとを合成する、請求項２〜４のいずれか１項に記載のコンテンツ処理装置。
【請求項７】
前記阻害画像は、前記コンテンツデータが著作権で保護されていることを示す、請求項１〜６のいずれか１項に記載のコンテンツ処理装置。
【請求項８】
動画データを含むコンテンツデータを処理するコンテンツ処理装置が実行する方法であって、
オリジナルのコンテンツデータに阻害画像を付加して動画データを生成するステップと、
前記オリジナルのコンテンツデータから前記動画データを補完する補完データを生成するステップと、
前記動画データおよび前記補完データを統合して、前記動画データおよび前記補完データを含むコンテンツデータを生成するステップと
を含む、方法。
【請求項９】
動画データを含むコンテンツデータを処理するコンテンツ処理装置が実行する方法であって、
前記方法は、前記コンテンツ処理装置が、
オリジナルのコンテンツデータに阻害画像を付加した動画データと、前記動画データを補完する補完データとを含むコンテンツデータを再生する際に、前記動画データと前記補完データとを合成するステップと、
前記動画データと前記補完データとを合成して得られた動画データを再生するステップと
を含む、方法。
【請求項１０】
前記阻害画像の付加される位置が一定である、請求項８または９に記載の方法。
【請求項１１】
前記阻害画像は、前記オリジナルのコンテンツデータを構成するフレーム毎に任意の位置に付加される、請求項８〜１０のいずれか１項に記載の方法。
【請求項１２】
前記阻害画像を付加した動画データおよび前記補完データは時系列に形成されており、
前記合成するステップは、
前記阻害画像を付加した動画データの各フレームと、これに対応する補完データのフレームとを順次合成するステップを含む、請求項９〜１１のいずれか１項に記載の方法。
【請求項１３】
前記阻害画像を付加した動画データは時系列に形成され、前記補完データは時間的に前後して形成されており、
前記合成するステップは、
前記阻害画像を付加した動画データの各フレームと、これに対応する補完データのフレームとを合成するステップを含む、請求項９〜１１のいずれか１項に記載の方法。
【請求項１４】
前記阻害画像は、前記コンテンツデータが著作権で保護されていることを示す、請求項８〜１３のいずれか１項に記載の方法。
【請求項１５】
動画データを含むコンテンツデータを処理するコンテンツ処理装置に対して、請求項８〜１４のいずれか１項に記載のステップを実行させるための装置実行可能なプログラム。
【請求項１６】
請求項１５に記載されたプログラムを記録したコンピュータ可読な記録媒体。
【請求項１７】
動画データを含むコンテンツデータを処理するコンテンツ処理システムであって、前記コンテンツ処理システムは、前記コンテンツデータを提供するコンテンツ提供装置と、前記コンテンツデータを再生するコンテンツ再生装置とを含み、
前記コンテンツ提供装置は、
オリジナルのコンテンツデータに阻害画像を付加した動画データと、前記動画データを補完する補完データとを生成する生成手段と、
前記動画データおよび前記補完データを統合して、前記動画データおよび前記補完データを含むコンテンツデータを生成する統合手段とを含み、
前記コンテンツ再生装置は、
前記動画データおよび前記補完データを含むコンテンツデータを再生する際に、前記動画データと前記補完データとを合成する合成手段と、
前記動画データと前記補完データとを合成して得られた動画データを再生する再生手段と
を含む、コンテンツ処理システム。
【発明の詳細な説明】
【技術分野】
【０００１】
本発明は、デジタルコンテンツの処理技術に関し、より詳細には、デジタルコンテンツの不正視聴を防止するコンテンツ処理装置、コンテンツ処理システム、方法、プログラムおよび記録媒体に関する。
【背景技術】
【０００２】
近年、スマートフォンなどに代表される高機能携帯電話やタブレット型ＰＣなどの普及に伴い、様々なシーンで映画やアニメ、ライブ映像、ＰＶ等の種々のデジタルコンテンツを手軽に視聴することが可能となっている。
【０００３】
通常、これらのデジタルコンテンツには著作権が発生しているが、その著作者の許諾を得ずにコンテンツデータが不正に複製または配信されており、利用者の犯罪意識の希薄化と相まって、デジタルコンテンツの不正な視聴が横行している。このため、デジタルコンテンツの不正視聴を防止して、著作者の権利を守ることが社会的な急務となっている。
【０００４】
この点につき、デジタルコンテンツの不正視聴を防止する技術として、例えば、特許文献１は、動画コンテンツの原画像に対し、電子透かしによって当該動画コンテンツの著作権情報を埋め込むとともに、著作権情報の埋め込み有無を示すデータを埋め込み、当該埋め込み有無を示すデータの検出結果に応じて著作権情報を検出する装置を開示する。
【先行技術文献】
【特許文献】
【０００５】
【特許文献１】特開２０１０−２７８８６１号公報
【発明の概要】
【発明が解決しようとする課題】
【０００６】
しかしながら、特許文献１が開示する装置は、動画コンテンツに埋め込まれた視認不能な電子透かしを使用して違法コピーであるか否かを検出するものの、動画コンテンツ自体の視聴は可能であり、不正にコピーされた動画コンテンツであっても内容を視聴できてしまうという問題があった。
【０００７】
本発明は上記課題を解決するものであり、動画コンテンツの不正な視聴を防止するコンテンツ処理装置、コンテンツ処理システム、方法、プログラムおよび記録媒体を提供することを目的とする。
【課題を解決するための手段】
【０００８】
すなわち、本発明によれば、オリジナルのコンテンツデータに阻害画像を付加した動画データと、動画データを補完する補完データとを生成し、これらのデータを統合してコンテンツデータを生成するコンテンツ処理装置が提供される。また、本発明によれば、コンテンツデータを再生する際に、阻害画像を付加した動画データと補完データとを合成し、これらのデータを合成して得られた動画データを再生するコンテンツ処理装置が提供される。
【０００９】
本発明によれば、オリジナルのコンテンツデータに阻害画像を付加した動画データと、動画データを補完する補完データとを生成し、これらのデータを統合してコンテンツデータを生成するコンテンツ処理システム、方法、プログラムおよび記録媒体が提供される。また、コンテンツデータを再生する際に、阻害画像を付加した動画データと補完データとを合成し、これらのデータを合成して得られた動画データを再生するコンテンツ処理システム、方法、プログラムおよび記録媒体が提供される。
【発明の効果】
【００１０】
本発明は、上述した構成要件を採用することにより、被補完動画データに阻害画像が付加されているため、不正なユーザが被補完動画データを視聴しようとした場合でも、視認性の低い動画データしか閲覧することができず、動画コンテンツの不正視聴を防止することができる。
【図面の簡単な説明】
【００１１】
【図１】本発明の一実施形態に係るコンテンツ処理装置の機能構成を示す図。
【図２】本発明の別の実施形態に係るコンテンツ処理装置の機能構成を示す図。
【図３】本発明が採用するデジタルコンテンツの不正視聴を防止する方法を示す概念図。
【図４】図１に示す実施形態のコンテンツ処理装置が実行する処理を示すフローチャート。
【図５】図２に示す実施形態のコンテンツ処理装置が実行する処理を示すフローチャート。
【図６】本発明の一実施形態が使用する被補完動画データと補完データとの対応関係を示す図。
【図７】本発明の他の実施形態が使用する被補完動画データと補完データとの対応関係を示す図。
【図８】本発明の他の実施形態に係るコンテンツ処理システムを示す図。
【発明を実施するための形態】
【００１２】
以下、本発明について実施形態をもって説明するが、本発明は、後述する実施形態に限定されるものではない。
【００１３】
図１は、本発明の一実施形態に係るコンテンツ処理装置の機能構成を示す図である。コンテンツ処理装置１００は、コンテンツデータを生成可能なコンテンツ処理装置であり、動画提供サーバなどの装置である。
【００１４】
コンテンツ処理装置１００は、ＣＰＵまたはＭＰＵ等のプロセッサを搭載し、Ｗｉｎｄｏｗｓ（登録商標）シリーズ、Ｍａｃ（登録商標）ＯＳシリーズ、ＵＮＩＸ（登録商標）またはＬＩＮＵＸ（登録商標）などのＯＳの管理下で、アセンブラ、Ｃ、Ｃ＋＋、ＪＡＶＡ（登録商標）、ＪＡＶＡＳＣＲＩＰＴ（登録商標）、ＰＥＲＬ、ＲＵＢＹ、ＰＹＴＨＯＮなどのプログラム言語で記述された本発明のプログラムを実行する。
【００１５】
コンテンツ処理装置１００は、プログラムを実行するための実行空間を提供するＲＡＭ、プログラムやデータなどを持続的に保持するためのハードディスク装置やフラッシュメモリなどを含んでおり、本実施形態の各機能手段をプログラムの実行により、当該コンテンツ処理装置上に実現する。
【００１６】
また、コンテンツ処理装置１００が有する各機能手段は、上述したプログラミング言語などで記述された装置実行可能なプログラムにより実現でき、本発明のプログラムは、磁気ディスク、光ディスク、光磁気ディスク、マスクＲＯＭ、書き換え可能ＲＯＭ、フラッシュメモリなどの装置が読み取り可能な記録媒体に格納して頒布することができ、また他装置が読み取り可能な形式でネットワークを介して伝送することができる。
【００１７】
コンテンツ処理装置１００は、分割部１１０と、生成部１１２と、ビデオエンコーダ１１４と、オーディオエンコーダ１１６と、統合部１１８とを含んで構成される。
【００１８】
分割部１１０は、オリジナルのコンテンツデータ（以下、「オリジナルコンテンツデータ」とする。）１０２を動画データおよび音声データに分割する機能手段である。分割部１１０は、逆マルチプレクサまたは当該機能を有するソフトウェアによって実現することができる。本実施形態のオリジナルコンテンツデータ１０２には動画データおよび音声データが含まれており、分割部１１０は、オリジナルコンテンツデータ１０２を動画データおよび音声データに分割し、生成部１１２およびオーディオエンコーダ１１６に供給する。
【００１９】
コンテンツ処理装置１００が処理するオリジナルコンテンツデータ１０２のファイル形式は、複数の動画データを格納可能なファイル形式、例えば、ＭＰＥＧ−４ ＡＶＣやＨ２６４、ＭＰＥＧ−２ ＰＳ／ＴＳ、ＭＯＶ、ＡＶＩ（Audio Video Interleave）、ＷＭＶ（Windows（登録商標） Media Video）等でもよく、その他の任意のファイル形式でもよい。
【００２０】
生成部１１２は、オリジナルコンテンツデータ１０２の動画データから阻害画像が付加された動画データ（以下、「被補完動画データ」とする。）と、被補完動画データを補完する補完データとを生成する機能手段である。阻害画像とは、オリジナルコンテンツデータ１０２の動画データの視認性を低下させる画像であり、様々な形態の画像を阻害画像として採用することができる。生成部１１２は、オリジナルコンテンツデータ１０２の動画データに対し、阻害画像を重畳合成することによって被補完動画データを生成する。
【００２１】
補完データとは、被補完動画データに重畳合成することによってオリジナルコンテンツデータ１０２の動画データと同一の動画データを形成可能なデータである。生成部１１２は、オリジナルコンテンツデータ１０２の動画データを構成する画像フレームの領域のうち阻害画像が付加された部分を含む画像領域を補完データとして生成する。
【００２２】
生成部１１２は、オリジナルコンテンツデータ１０２の動画データを構成する各フレームの同一の位置に阻害画像を重畳合成して被補完動画データを生成することができる。また、生成部１１２は、オリジナルコンテンツデータ１０２の動画データを構成する各フレームの任意の位置に阻害画像を重畳合成して被補完動画データを生成することができる。この場合、生成部１１２は、ランダム関数を用いて阻害画像を重畳合成する座標位置をランダムに決定し、その座標位置をコンテンツデータ１０４のメタデータとすることができる。
【００２３】
ビデオエンコーダ１１４は、被補完動画データおよび補完データを所定のファイル形式に変換する機能手段である。ビデオエンコーダ１１４は、生成部１１２が生成した被補完動画データおよび補完データを複数の動画データを格納可能なファイル形式（例えば、ＭＰＥＧ−４ ＡＶＣやＨ２６４等）に変換し、統合部１１８に供給する。他の実施形態では、ビデオエンコーダ１１４は、被補完動画データおよび補完データをさらに圧縮および／または暗号化してもよい。
【００２４】
本実施形態では、ビデオエンコーダ１１４としてＡＳＩＣ等の半導体装置によって実装可能なビデオデコーダを採用するが、他の実施形態では、プログラムモジュールとしてビデオエンコーダ１１４を実装してもよい。
【００２５】
オーディオエンコーダ１１６は、オリジナルコンテンツデータ１０２に含まれる音声データを所定のファイル形式に変換する機能手段である。オーディオエンコーダ１１６は、オリジナルコンテンツデータ１０２の音声データを複数の動画データを格納可能なファイル形式（例えば、ＭＰＥＧ−４ ＡＶＣやＨ２６４等）に変換し、統合部１１８に供給する。なお、オリジナルコンテンツデータ１０２の音声データが既に上記ファイル形式で構成されている場合には、オーディオエンコーダ１１６は音声データを変換しない。他の実施形態では、オーディオエンコーダ１１６は、上記ファイル形式に変換した音声データをさらに圧縮および／または暗号化してもよい。
【００２６】
統合部１１８は、被補完動画データ、補完データおよび音声データを統合する機能手段である。統合部１１８は、被補完動画データ、補完データおよび音声データを合成し、複数の動画データを格納可能なファイル形式（例えば、ＭＰＥＧ−４ ＡＶＣやＨ２６４、ＭＰＥＧ−２ ＰＳ／ＴＳ、ＭＯＶ、ＡＶＩ（Audio Video Interleave）、ＷＭＶ（Windows（登録商標） Media Video）等）のコンテンツデータ１０４を生成する。
【００２７】
上述したように、コンテンツデータ１０４に含まれる被補完動画データには阻害画像が付加されているため、不正なユーザが、当該コンテンツデータから被補完動画データのみを抽出しても、視認性の低い動画データしか閲覧することができず、デジタルコンテンツの不正視聴を防止することができる。
【００２８】
図１に示す実施形態では、１のファイルで構成されるオリジナルコンテンツデータをオリジナル動画データおよび音声データに分割して処理するが、他の実施形態では、オリジナル動画データおよび音声データを別々のファイルで構成することもできる。この場合、コンテンツ処理装置１００は、動画データおよび音声データを分割することなく、生成部１１２がオリジナル動画データから被補完動画データおよび補完データを生成し、ビデオエンコーダ１１４がこれらのデータを処理すると共に、オーディオエンコーダ１１６が音声データを処理する。なお、分割部１１０は省略することができる。
【００２９】
図２は、本発明の別の実施形態に係るコンテンツ処理装置の機能構成を示す図である。以下、図２を参照して、動画データを再生するコンテンツ処理装置２００について説明する。
【００３０】
コンテンツ処理装置２００は、コンテンツデータを再生可能なコンテンツ処理装置であり、例えば、ｉＰｈｏｎｅ（登録商標）やＧＡＬＡＸＹ  Ｓ（登録商標）等の種々のスマートフォン、タブレット型ＰＣやノートブック型ＰＣ、デスクトップ型ＰＣ等の各種ＰＣ、ＰｌａｙＳｔａｔｉｏｎ（登録商標）やＮＩＮＴＥＮＤＯ  ＤＳ（登録商標）等の様々なゲーム機器などの装置である。
【００３１】
コンテンツ処理装置２００は、コンテンツ処理装置１００と同様に、ＣＰＵまたはＭＰＵ等のプロセッサを搭載し、ＩＴＲＯＮ、Ｗｉｎｄｏｗｓ（登録商標）シリーズ、Ｗｉｎｄｏｗｓ（登録商標）Ｐｈｏｎｅ、Ｍａｃ（登録商標）ＯＳシリーズ、ｉＯＳ、Ｓｙｍｂｉａｎ（登録商標）ＯＳ、ＵＮＩＸ（登録商標）またはＬＩＮＵＸ（登録商標）、Ａｎｄｒｏｉｄ（登録商標）などのＯＳの管理下で、アセンブラ、Ｃ、Ｃ＋＋、ＪＡＶＡ（登録商標）、ＪＡＶＡＳＣＲＩＰＴ（登録商標）、ＰＥＲＬ、ＲＵＢＹ、ＰＹＴＨＯＮなどのプログラム言語で記述された本発明のプログラムを実行する。
【００３２】
また、コンテンツ処理装置２００は、ＷＥＢページを閲覧可能な種々のウェブブラウザ上で動作するＪＡＶＡ（登録商標）やＪＡＶＡＳＣＲＩＰＴ（登録商標）、ＦＬＡＳＨ（登録商標）、ＨＴＭＬ５（HyperText Markup Language 5）等のプログラム言語で記述された本発明のプログラムを実行することもできる。
【００３３】
コンテンツ処理装置２００は、プログラムを実行するための実行空間を提供するＲＡＭ、プログラムやデータなどを持続的に保持するためのハードディスク装置やフラッシュメモリなどを含んでおり、本実施形態の各機能手段をプログラムの実行により、当該コンテンツ処理装置上に実現する。
【００３４】
また、コンテンツ処理装置２００が有する各機能手段は、上述したプログラミング言語などで記述された装置実行可能なプログラムにより実現でき、本発明のプログラムは、磁気ディスク、光ディスク、光磁気ディスク、マスクＲＯＭ、書き換え可能ＲＯＭ、フラッシュメモリなどの装置が読み取り可能な記録媒体に格納して頒布することができ、また他装置が読み取り可能な形式でネットワークを介して伝送することができる。
【００３５】
コンテンツ処理装置２００は、分割部２３０と、ビデオデコーダ２３２と、オーディオデコーダ２３４と、合成部２３６と、再生部２３８とを含んで構成される。
【００３６】
分割部２３０は、コンテンツデータ１０４を動画データおよび音声データに分割する機能手段である。コンテンツデータ１０４には、被補完動画データと、補完データと、音声データとが含まれている。分割部２３０は、コンテンツデータ１０４を被補完動画データ、補完データおよび音声データに分割し、被補完動画データおよび補完データをビデオデコーダ２３２に供給し、音声データをオーディオデコーダ２３４に供給する。本実施形態では、分割部２３０として逆マルチプレクサを採用することができる。
【００３７】
ビデオデコーダ２３２は、被補完動画データおよび補完データをメモリに展開する機能手段である。ビデオデコーダ２３２は、分割部２３０から被補完動画データおよび補完データを受信すると、被補完動画データおよび補完データをフレーム毎にＲＡＭやレジスタ等のメモリに順次展開する。他の実施形態では、ビデオデコーダ２３２が、圧縮された被補完動画データおよび補完データを伸張してメモリに展開するように構成してもよく、また、被補完動画データおよび補完データを暗号化しておき、ビデオデコーダ２３２がこれらのデータを復号してメモリに展開するように構成してもよい。
【００３８】
本実施形態では、ビデオデコーダ２３２としてＡＳＩＣ等の半導体装置によって実装可能なビデオデコーダを採用するが、他の実施形態では、プログラムモジュールとしてビデオデコーダ２３２を実装してもよい。
【００３９】
オーディオデコーダ２３４は、音声データをメモリに展開する機能手段である。オーディオデコーダ２３４は、上述したファイル形式の音声データをＲＡＭやレジスタ等のメモリに展開する。他の実施形態では、オーディオデコーダ２３４が、圧縮された音声データを伸張してメモリに展開するように構成してもよく、また、圧縮された音声データを暗号化しておき、オーディオデコーダ２３４がこれらのデータを復号してメモリに展開するように構成してもよい。
【００４０】
本実施形態では、オーディオデコーダ２３４としてＡＳＩＣ等の半導体装置によって実装可能なオーディオデコーダを採用するが、他の実施形態では、プログラムモジュールとしてオーディオデコーダ２３４を実装してもよい。
【００４１】
合成部２３６は、被補完動画データおよび補完データを合成する機能手段である。合成部２３６は、ビデオデコーダ２３２がメモリに展開した被補完動画データの１のフレームを構成する各画素の色指定情報（例えば、ＲＧＢ値等）を、当該メモリ内の別のデータ領域（以下、「合成領域」とする。）に保存する。そして、合成部２３６は、ビデオデコーダ２３２がメモリに展開した被補完動画データのフレームに対応する補完データを合成領域に上書き保存する。
【００４２】
本実施形態では、被補完動画データおよび補完データのフレームレート数は同一であり、ビデオデコーダ２３２は、被補完動画データおよび補完データをフレーム単位で順次メモリに展開する。上記合成領域は、そのアドレス毎に動画フレームの各画素の色指定情報を格納する位置が既定されており、合成部２３６は、被補完動画データの画素の色指定情報が格納された合成領域のうちコンテンツデータ１０４のメタデータが指定するアドレス領域に、当該被補完動画データに対応する補完データの各画素の色指定情報を上書きする。これにより、阻害画像を含む被補完動画データに補完データが重畳合成され、オリジナルの動画データと同一の動画データがメモリに展開される。
【００４３】
被補完動画データの阻害画像の位置が全フレームで一定である実施形態では、合成部２３６は、当該阻害画像の色指定情報が格納されている合成領域内の既定のデータ領域に、当該被補完動画データに対応する補完データの各画素の色指定情報を展開する。
【００４４】
被補完動画データの阻害画像の位置がフレーム毎に変動する実施形態では、合成部２３６は、当該阻害画像の色指定情報が格納されている合成領域内の所定のデータ領域に、当該被補完動画データに対応する補完データの各画素の色指定情報を展開する。この場合、合成部２３６は、コンテンツデータ１０４のメタデータである重畳画像の座標位置から補完データの色指定情報を展開すべきメモリ上の位置を指定する情報（例えば、メモリの基点アドレスからのオフセット値等）を算出し、その指定情報を使用して、補完データの色指定情報を展開すべき合成領域内の所定のデータ領域を判断することができる。
【００４５】
本実施形態では、合成部２３６は、図６に示すように、時系列に連続する被補完動画データ６１０の各フレーム（被補完動画フレーム_０１〜被補完動画フレーム_０５等）と、補完データ６２０の各フレーム（補完フレーム_０１〜補完フレーム_０５等）とを順次合成する。他の実施形態では、図７に示すように、時間的に前後するように各補完フレームを入れ替えて補完データ７２０を構成することができ、合成部２３６が、被補完動画データ７１０のフレームと、これに対応する補完データ７２０のフレームとを合成するようにしてもよい。
【００４６】
図７に示す実施形態では、２つの補完フレームを時間的に前後して入れ替えるため、合成部２３６は、２フレーム分の被補完動画データの各画素の色指定情報を合成領域に展開し、当該被補完動画データの各フレームに対応する補完フレームの各画素の色指定情報を当該合成領域に展開することにより、動画データを合成することができる。他の実施形態では、３以上の補完フレームを相互に入れ替えてもよい。なお、キーフレームを用いて補完データを生成する実施形態では、同一のキーフレームから生成される補完データの各フレームを並び替えて、補完データを構成することができる。
【００４７】
合成部２３６は、被補完動画データおよび補完データの全フレームについて、上述した合成処理を実行する。
【００４８】
再生部２３８は、動画データおよび音声データを再生する機能手段である。再生部２３８は、メモリに展開された合成済みの動画データおよび音声データを順次読み出し、コンテンツ処理装置２００の表示画面（図示せず）に動画を表示すると共に、スピーカー（図示せず）から音声データを出力する。
【００４９】
図３は、本発明が採用するデジタルコンテンツの不正視聴を防止する方法を示す概念図である。本実施形態では、オリジナルの動画データ３１０に阻害画像３１２を付加することにより、被補完動画データ３２０が生成される。また、被補完動画データ３２０の阻害画像３２２によって閲覧できない画像領域を補完する補完データ３２４がオリジナルの動画データ３１０から生成される。本実施形態の補完データ３２４の解像度は、被補完動画データ３２０の解像度よりも小さいものとする。コンテンツ処理装置１００は、被補完動画データ３２０と補完データ３２４とを合成して、オリジナルの動画データ３１０と同一の動画データ３３０を生成する。
【００５０】
図３に示す実施形態では、阻害画像として円形のマークを採用するが、阻害画像の形状はこれに限定するものではなく、阻害画像を多角形や楕円形等の任意の形状とすることができると共に、任意の模様や色彩の阻害画像を採用することができる。また、本実施形態では、阻害画像は同一の画像であるが、他の実施形態では、同一の画像ではなくフレーム毎に異なる阻害画像を使用してもよい。
【００５１】
本発明では、コンテンツデータが著作権で保護されていることを示す文言や記号を阻害画像に付加することが好適である。これにより、本発明が採用するコンテンツデータから被補完動画データを抽出して不正に複製・配信された場合でも、動画データを視聴しようとする利用者に対して、それが不正視聴であることを認識させて犯罪意識を喚起させることができ、デジタルコンテンツの不正視聴の抑止に寄与することができる。
【００５２】
図４は、図１に示す実施形態のコンテンツ処理装置が実行する処理を示すフローチャートである。図４の処理は、ステップＳ４００から開始し、ステップＳ４０１でコンテンツ処理装置１００の分割部１１０が、オリジナルコンテンツデータ１０２を動画データおよび音声データに分割する。
【００５３】
本実施形態では、オリジナルコンテンツデータ１０２は、コンテンツ処理装置１００が備える記憶装置やコンテンツ処理装置１００に接続可能な外部記憶装置等のコンテンツ処理装置１００がアクセス可能な記憶装置に保存されており、分割部１１０は、これらの記憶装置からオリジナルコンテンツデータ１０２を取得することができる。他の実施形態では、オリジナルコンテンツデータ１０２を提供するサーバからネットワークを介してオリジナルコンテンツデータ１０２を取得してもよい。
【００５４】
ステップＳ４０２では、生成部１１２が、オリジナルコンテンツデータ１０２の動画データから被補完動画データおよび補完データを生成する。ステップＳ４０３では、ビデオエンコーダ１１４が被補完動画データおよび補完データを所定のファイル形式に変換すると共に、オーディオエンコーダ１１６が音声データを所定のファイル形式に変換する。ステップＳ４０４では、統合部１１８が、被補完動画データ、補完データおよび音声データを含む所定のファイル形式のコンテンツデータ１０４を生成し、ステップＳ４０５で処理が終了する。
【００５５】
図５は、図２に示す実施形態のコンテンツ処理装置が実行する処理を示すフローチャートである。図５の処理は、ステップＳ５００から開始し、ステップＳ５０１でコンテンツ処理装置２００の分割部２３０がコンテンツデータ１０４を被補完動画データ、補完データおよび音声データに分割する。
【００５６】
本実施形態では、コンテンツデータ１０４は、コンテンツ処理装置２００が備える記憶装置やコンテンツ処理装置２００に接続可能な外部記憶装置等のコンテンツ処理装置２００がアクセス可能な記憶装置に保存されており、分割部２３０は、これらの記憶装置からコンテンツデータ１０４を取得することができる。他の実施形態では、コンテンツデータ１０４を提供するサーバからネットワークを介してコンテンツデータ１０４を取得してもよい。
【００５７】
ステップＳ５０２では、ビデオデコーダ２３２が、被補完動画データおよび補完データをメモリに展開すると共に、オーディオデコーダ２３４が、音声データをメモリに展開する。ステップＳ５０３では、合成部２３６が、被補完動画データおよび補完データを合成する。ステップＳ５０４では、再生部２３８が、合成した被補完動画データおよび補完データを音声データと共に再生し、ステップＳ５０５で処理が終了する。
【００５８】
図８は、本発明の別の実施形態に係るコンテンツ処理システムを示す図である。以下、図８を参照して、コンテンツ処理システム８０について説明する。
【００５９】
コンテンツ処理システム８０は、コンテンツデータを提供するコンテンツ処理装置８００と、コンテンツデータを再生するコンテンツ処理装置８０６とを含んで構成される。なお、コンテンツ処理装置８０６は、コンテンツ処理装置２００と同様の構成を有するため、以下、相違点を中心に説明する。
【００６０】
コンテンツ処理装置８００は、インターネット等の広域ネットワークやＬＡＮ等の狭域ネットワークを介してコンテンツデータを提供するサーバ等の装置であり、分割部８１０と、生成部８１２と、ビデオエンコーダ８１４と、オーディオエンコーダ８１６と、統合部８１８と、送信部８２０とを含んで構成される。
【００６１】
分割部８１０、生成部８１２、ビデオエンコーダ８１４、オーディオエンコーダ８１６および統合部８１８は、それぞれコンテンツ処理装置１００の分割部１１０、生成部１１２、ビデオエンコーダ１１４、オーディオエンコーダ１１６および統合部１１８と同一の機能を有する。
【００６２】
送信部８２０は、ネットワークを介してコンテンツ処理装置８０６にコンテンツデータ８０４を送信する機能手段である。送信部８２０は、被補完動画データ、補完データおよび音声データを含むコンテンツデータ８０４をコンテンツ処理装置８０６に送信する。
【００６３】
コンテンツ処理装置８０６は、受信部８４０を備えており、受信部８４０がコンテンツ処理装置８００からコンテンツデータ８０４を受信する。そして、コンテンツ処理装置８０６は、上述したコンテンツ処理装置１００と同様に、コンテンツデータ８０４に含まれる被補完動画データおよび補完データを合成し、音声データと共に再生する。
【００６４】
本実施形態では、コンテンツ処理装置８００は、コンテンツデータ８０４をストリーミング配信によって提供することができ、また、ダウンロードによって提供することもできる。
【００６５】
これまで本実施形態につき説明してきたが、本発明は、上述した実施形態に限定されるものではなく、当該実施形態の構成要件の変更や削除、他の実施形態の構成要件、例えば、オリジナルの音声データを加工して、その完全な再生を阻害する構成要件を追加するなど、当業者が想到することができる範囲内で変更することができ、いずれの態様においても本発明の作用・効果を奏する限り、本発明の範囲に含まれるものである。
【符号の説明】
【００６６】
１００…コンテンツ処理装置、１０２…オリジナルコンテンツデータ、１０４…コンテンツデータ、１１０…分割部、１１２…生成部、１１４…ビデオエンコーダ、１１６…オーディオエンコーダ、１１８…統合部、２００…コンテンツ処理装置、２３０…分割部、２３２…ビデオデコーダ、２３４…オーディオデコーダ、２３６…合成部、２３８…再生部、８０…コンテンツ処理システム、８００…コンテンツ処理装置、８０２…オリジナルコンテンツデータ、８０４…コンテンツデータ、８０６…コンテンツ処理装置、８１０…分割部、８１２…生成部、８１４…ビデオエンコーダ、８１６…オーディオエンコーダ、８１８…統合部、８２０…送信部、８３０…分割部、８３２…ビデオデコーダ、８３４…オーディオデコーダ、８３６…合成部、８３８…再生部、８４０…受信部
【図１】
2013077947.tif 000003
【図２】
2013077947.tif 000004
【図３】
2013077947.tif 000005
【図４】
2013077947.tif 000006
【図５】
2013077947.tif 000007
【図６】
2013077947.tif 000008
【図７】
2013077947.tif 000009
【図８】
2013077947.tif 000010